(57)【特許請求の範囲】
【請求項１】
食物や飲料物の商品に関する商品情報を消費者が使用する消費者端末に対して通信ネットワークを介して提供する商品情報提供サーバであって、
広告チラシを作成するチラシ作成業者が使用するチラシ作成業者端末に当該広告チラシを取り込み電子化するチラシ電子化手段により電子化したチラシ画像と、当該広告チラシに掲載されている掲載商品を特定可能な商品コードと、該掲載商品の掲載領域を示す商品掲載領域情報とを含むチラシ情報を前記チラシ作成業者端末から受信して格納するチラシ情報格納手段と、
前記チラシ情報に含まれているチラシ画像における各掲載商品の掲載領域それぞれに、前記チラシ情報に含まれている該当商品の商品コードを設定したメタタグを埋め込んだ商品情報提供ページを作成する商品情報提供ページ作成手段と、
前記消費者端末からの要求に応じて、前記商品情報提供ページを前記消費者端末に送信する商品情報提供ページ送信手段と、
前記消費者端末の表示画面に表示されている前記商品情報提供ページ上を移動可能なカーソルが各掲載商品の掲載領域に進入したことに応じて、前記カーソルが進入した掲載領域に埋め込まれているメタタグに設定されている商品コードを特定する商品コード特定手段と、
該商品コード特定手段が特定した商品コードが示す商品の詳細を示す商品詳細情報を収集する商品詳細情報収集手段と、
収集した商品詳細情報を前記商品情報提供ページ上に表示する商品詳細情報表示手段と、
前記商品コード特定手段が特定した商品コードが示す商品の注文内容を入力するための商品注文内容入力領域を前記商品情報提供ページ上に表示する商品注文内容入力領域表示手段とを含み、
前記チラシ情報には、前記商品情報提供ページの作成の有無を識別可能なフラグ情報が対応付けされており、
前記商品情報提供ページ作成手段は、
前記フラグ情報に基づいて、対応する商品情報提供ページが作成されていないチラシ情報を特定する未作成情報特定手段を有し、
特定したチラシ情報に対応する前記商品情報提供ページを作成する
ことを特徴とする商品情報提供サーバ。
【請求項２】
前記未作成情報特定手段は、新たなチラシ情報が入手されたとき、あるいは定期的に、前記対応する商品情報提供ページが作成されていないチラシ情報を特定する
請求項１記載の商品情報提供サーバ。
【請求項３】
前記商品詳細情報収集手段は、前記チラシ情報格納手段に格納されているチラシ情報を参照して、該当商品の商品画像を含む商品詳細情報を収集する
請求項１または請求項２記載の商品情報提供サーバ。
【請求項４】
各商品について、商品名、商品コード、価格、生産履歴が対応付けされた商品マスタを格納する商品マスタ格納手段を含み、
前記商品詳細情報収集手段は、前記商品マスタを参照して、該当商品の生産履歴を含む商品詳細情報を収集する
請求項１から請求項３のうちいずれかに記載の商品情報提供サーバ。
【請求項５】
前記商品詳細情報表示手段は、前記商品詳細情報の表示領域を含む商品詳細情報サブウインドウを作成し、前記商品情報提供ページ上に表示されているチラシ画像の前面側に重畳して前記商品詳細情報サブウインドウを表示する
請求項１から請求項４のうちいずれかに記載の商品情報提供サーバ。
【請求項６】
前記商品コード特定手段が特定した商品コードが示す商品の概要を示す商品概要情報を収集する商品概要情報収集手段を含み、
前記商品注文内容入力領域表示手段は、収集した概要情報とともに前記商品注文内容入力領域を表示する
請求項１から請求項５のうちいずれかに記載の商品情報提供サーバ。
【請求項７】
前記商品注文内容入力領域は、該当商品の注文数を入力する入力領域である
請求項１から請求項６のうちいずれかに記載の商品情報提供サーバ。
【請求項８】
前記商品注文内容入力領域表示手段は、前記商品注文内容入力領域を含む商品注文用サブウインドウを作成し、前記商品情報提供ページ上に表示されているチラシ画像の前面側に重畳して前記商品注文用サブウインドウを表示する
請求項１から請求項７のうちいずれかに記載の商品情報提供サーバ。
【請求項９】
消費者が使用する消費者端末と、食物や飲料物の商品に関する商品情報を前記消費者端末に対して通信ネットワークを介して提供する商品情報提供サーバとを備えた商品情報提供システムであって、
前記商品情報提供サーバは、
広告チラシを作成するチラシ作成業者が使用するチラシ作成業者端末に当該広告チラシを取り込み電子化するチラシ電子化手段により電子化したチラシ画像と、当該広告チラシに掲載されている掲載商品を特定可能な商品コードと、該掲載商品の掲載領域を示す商品掲載領域情報とを含むチラシ情報を前記チラシ作成業者端末から受信して格納するチラシ情報格納手段と、
前記チラシ情報に含まれているチラシ画像における各掲載商品の掲載領域それぞれに、前記チラシ情報に含まれている該当商品の商品コードを設定したメタタグを埋め込んだ商品情報提供ページを作成する商品情報提供ページ作成手段と、
前記消費者端末からの要求に応じて、前記商品情報提供ページを前記消費者端末に送信する商品情報提供ページ送信手段と、
前記消費者端末の表示画面に表示されている前記商品情報提供ページ上を移動可能なカーソルが各掲載商品の掲載領域に進入したことに応じて、前記カーソルが進入した掲載領域に埋め込まれているメタタグに設定されている商品コードを特定する商品コード特定手段と、
該商品コード特定手段が特定した商品コードが示す商品の詳細を示す商品詳細情報を収集する商品詳細情報収集手段と、
収集した商品詳細情報を前記商品情報提供ページ上に表示する商品詳細情報表示手段と、
前記商品コード特定手段が特定した商品コードが示す商品の注文内容を入力するための商品注文内容入力領域を前記商品情報提供ページ上に表示する商品注文内容入力領域表示手段とを含み、
前記チラシ情報には、前記商品情報提供ページの作成の有無を識別可能なフラグ情報が対応付けされており、
前記商品情報提供ページ作成手段は、
前記フラグ情報に基づいて、対応する商品情報提供ページが作成されていないチラシ情報を特定する未作成情報特定手段を有し、
特定したチラシ情報に対応する前記商品情報提供ページを作成する
ことを特徴とする商品情報提供システム。
【請求項１０】
前記商品情報提供サーバは、各商品について、商品名、商品コード、価格、生産履歴が対応付けされた商品マスタを格納する商品マスタ格納手段を含み、
前記商品詳細情報収集手段は、前記商品マスタを参照して、該当商品の生産履歴を含む商品詳細情報を収集する
請求項９記載の商品情報提供システム。
【請求項１１】
前記商品詳細情報表示手段は、前記商品詳細情報の表示領域を含む商品詳細情報サブウインドウを作成し、前記商品情報提供ページ上に表示されているチラシ画像の前面側に重畳して前記商品詳細情報サブウインドウを表示する
請求項９または請求項１０記載の商品情報提供システム。
【請求項１２】
前記商品情報提供サーバは、前記商品コード特定手段が特定した商品コードが示す商品の概要を示す商品概要情報を収集する商品概要情報収集手段を含み、
前記商品注文内容入力領域表示手段は、収集した概要情報とともに前記商品注文内容入力領域を表示する
請求項９から請求項１１のうちいずれかに記載の商品情報提供システム。
【請求項１３】
前記商品注文内容入力領域は、該当商品の注文数を入力する入力領域である
請求項９から請求項１２のうちいずれかに記載の商品情報提供システム。
【請求項１４】
前記商品注文内容入力領域表示手段は、前記商品注文内容入力領域を含む商品注文用サブウインドウを作成し、前記商品情報提供ページ上に表示されているチラシ画像の前面側に重畳して前記商品注文用サブウインドウを表示する
請求項９から請求項１３のうちいずれかに記載の商品情報提供システム。
【発明の詳細な説明】
【技術分野】
【０００１】
本発明は、食物や飲料物の商品に関する商品情報を消費者が使用する消費者端末に対して通信ネットワークを介して提供する商品情報提供サーバ、及び当該サーバを含む商品情報提供システムに関する。
【背景技術】
【０００２】
従来から、インターネットなどの通信ネットワークを介して食品や飲料物などの商品の情報を提供したりその商品の注文を受け付けたりする商品注文サイトを運営するシステムが各種提案され運用されている（例えば特許文献１−２）。
【０００３】
【特許文献１】特開２００６−３１６５５号公報
【特許文献２】特開２００７−１３３７９２号公報
【発明の開示】
【発明が解決しようとする課題】
【０００４】
しかしながら、上述した従来のシステムでは、販売対象とする各商品の価格や画像などの情報の登録や変更をサイト運営者が行わなければならず、商品販売サイトを運営するための労力が多大なものとなっているという問題があった。特に、商品の追加・変更や、価格の変更などが頻繁に生じる小売店の商品販売サイトの運営者にとっては、膨大な労力を要するものとなっていた。
【０００５】
本発明は、上述した問題を解消し、商品に係わる商品情報を提供して注文を受け付ける商品注文受付サイトに掲載するための商品情報の登録を容易なものとし、サイト運営者のサイト運用のための労力を軽減することができるようにすることを目的とする。
【課題を解決するための手段】
【０００６】
本発明の商品情報提供サーバは、食物や飲料物の商品に関する商品情報を消費者が使用する消費者端末に対して通信ネットワークを介して提供する商品情報提供サーバであって、広告チラシを作成するチラシ作成業者が使用するチラシ作成業者端末に当該広告チラシを取り込み電子化するチラシ電子化手段により電子化したチラシ画像と、当該広告チラシに掲載されている掲載商品を特定可能な商品コードと、該掲載商品の掲載領域を示す商品掲載領域情報とを含むチラシ情報を前記チラシ作成業者端末から受信して格納するチラシ情報格納手段と、前記チラシ情報に含まれているチラシ画像における各掲載商品の掲載領域それぞれに、前記チラシ情報に含まれている該当商品の商品コードを設定したメタタグを埋め込んだ商品情報提供ページを作成する商品情報提供ページ作成手段と、前記消費者端末からの要求に応じて、前記商品情報提供ページを前記消費者端末に送信する商品情報提供ページ送信手段と、前記消費者端末の表示画面に表示されている前記商品情報提供ページ上を移動可能なカーソルが各掲載商品の掲載領域に進入したことに応じて、前記カーソルが進入した掲載領域に埋め込まれているメタタグに設定されている商品コードを特定する商品コード特定手段と、該商品コード特定手段が特定した商品コードが示す商品の詳細を示す商品詳細情報を収集する商品詳細情報収集手段と、収集した商品詳細情報を前記商品情報提供ページ上に表示する商品詳細情報表示手段と、前記商品コード特定手段が特定した商品コードが示す商品の注文内容を入力するための商品注文内容入力領域を前記商品情報提供ページ上に表示する商品注文内容入力領域表示手段とを含み、前記チラシ情報には、前記商品情報提供ページの作成の有無を識別可能なフラグ情報が対応付けされており、前記商品情報提供ページ作成手段は、前記フラグ情報に基づいて、対応する商品情報提供ページが作成されていないチラシ情報を特定する未作成情報特定手段を有し、特定したチラシ情報に対応する前記商品情報提供ページを作成することを特徴とする。
【０００７】
上記のように構成したことで、商品に係わる商品情報を提供して注文を受け付ける商品注文受付サイトに掲載するための商品情報の登録のための作業が容易となり、サイト運営者のサイト運用のための労力を軽減することができるようになる。
【０００８】
前記未作成情報特定手段は、新たなチラシ情報が入手されたとき、あるいは定期的に、前記対応する商品情報提供ページが作成されていないチラシ情報を特定する構成とされていてもよい。
前記商品詳細情報収集手段は、前記チラシ情報格納手段に格納されているチラシ情報を参照して、該当商品の商品画像を含む商品詳細情報を収集する構成とされていてもよい。
【０００９】
各商品について、商品名、商品コード、価格、生産履歴が対応付けされた商品マスタを格納する商品マスタ格納手段を含み、前記商品詳細情報収集手段は、前記商品マスタを参照して、該当商品の生産履歴を含む商品詳細情報を収集する構成とされていてもよい。
【００１０】
前記商品詳細情報表示手段は、前記商品詳細情報の表示領域を含む商品詳細情報サブウインドウを作成し、前記商品情報提供ページ上に表示されているチラシ画像の前面側に重畳して前記商品詳細情報サブウインドウを表示する構成とされていてもよい。
【００１２】
前記商品コード特定手段が特定した商品コードが示す商品の概要を示す商品概要情報を収集する商品概要情報収集手段を含み、前記商品注文内容入力領域表示手段は、収集した概要情報とともに前記商品注文内容入力領域を表示する構成とされていてもよい。
【００１３】
前記商品注文内容入力領域は、例えば、該当商品の注文数を入力する入力領域である。
【００１４】
前記商品注文内容入力領域表示手段は、前記商品注文内容入力領域を含む商品注文用サブウインドウを作成し、前記商品情報提供ページ上に表示されているチラシ画像の前面側に重畳して前記商品注文用サブウインドウを表示する構成とされていてもよい。
【００１５】
また、本発明の商品情報提供システムは、消費者が使用する消費者端末と、食物や飲料物の商品に関する商品情報を前記消費者端末に対して通信ネットワークを介して提供する商品情報提供サーバとを備えた商品情報提供システムであって、前記商品情報提供サーバは、広告チラシを作成するチラシ作成業者が使用するチラシ作成業者端末に当該広告チラシを取り込み電子化するチラシ電子化手段により電子化したチラシ画像と、当該広告チラシに掲載されている掲載商品を特定可能な商品コードと、該掲載商品の掲載領域を示す商品掲載領域情報とを含むチラシ情報を前記チラシ作成業者端末から受信して格納するチラシ情報格納手段と、前記チラシ情報に含まれているチラシ画像における各掲載商品の掲載領域それぞれに、前記チラシ情報に含まれている該当商品の商品コードを設定したメタタグを埋め込んだ商品情報提供ページを作成する商品情報提供ページ作成手段と、前記消費者端末からの要求に応じて、前記商品情報提供ページを前記消費者端末に送信する商品情報提供ページ送信手段と、前記消費者端末の表示画面に表示されている前記商品情報提供ページ上を移動可能なカーソルが各掲載商品の掲載領域に進入したことに応じて、前記カーソルが進入した掲載領域に埋め込まれているメタタグに設定されている商品コードを特定する商品コード特定手段と、該商品コード特定手段が特定した商品コードが示す商品の詳細を示す商品詳細情報を収集する商品詳細情報収集手段と、収集した商品詳細情報を前記商品情報提供ページ上に表示する商品詳細情報表示手段と、前記商品コード特定手段が特定した商品コードが示す商品の注文内容を入力するための商品注文内容入力領域を前記商品情報提供ページ上に表示する商品注文内容入力領域表示手段とを含み、前記チラシ情報には、前記商品情報提供ページの作成の有無を識別可能なフラグ情報が対応付けされており、前記商品情報提供ページ作成手段は、前記フラグ情報に基づいて、対応する商品情報提供ページが作成されていないチラシ情報を特定する未作成情報特定手段を有し、特定したチラシ情報に対応する前記商品情報提供ページを作成することを特徴とする。
【発明の効果】
【００１６】
本発明によれば、商品に係わる商品情報を提供して注文を受け付ける商品注文受付サイトに掲載するための商品情報の登録のための作業が容易となり、サイト運営者のサイト運用のための労力を軽減することができるようになる。
【発明を実施するための最良の形態】
【００１７】
以下、本発明の一実施の形態について図面を参照して説明する。
図１は、本発明の一実施の形態に係る商品情報提供システム１００の構成の例を示すブロック図である。図１に示すように、商品情報提供システム１００は、商品情報提供サーバ１０と、チラシ作成業者端末２０と、消費者端末３１〜３Ｎ（Ｎ＝１，２、・・・）とを含む。商品情報提供サーバ１０、チラシ作成業者端末２０、および消費者端末３１〜３Ｎは、それぞれ、例えばインターネットなどの通信ネットワーク４０に接続されている。
【００１８】
商品情報提供サーバ１０は、ＷＷＷサーバなどの情報処理装置によって構成される。チラシ作成業者端末２０、および消費者端末３１〜３Ｎは、それぞれ、パーソナルコンピュータなどの情報処理装置によって構成される。
【００１９】
商品情報提供サーバ１０は、例えば商品情報提供システム１００のシステム管理者によって管理されるサーバであり、例えば店舗にて販売される食品や飲料などの商品を消費者端末３１〜３Ｎに対して提供する処理を実行する機能（商品閲覧サイトとしての機能）や、消費者端末３１〜３Ｎから購入希望の商品の注文を受け付ける処理を実行する機能（商品注文サイトとしての機能）などの各種の機能を有する。
【００２０】
商品情報提供サーバ１０は、商品に関連する各種の情報を示す商品マスタが格納される商品マスタＤＢ１１と、チラシ作成業者によって作成されたチラシ情報が格納されるチラシＤＢ１２とを備えている。なお、商品マスタＤＢ１１とチラシＤＢ１２は、商品情報提供サーバ１０の内部にあっても外部にあってもよい。
【００２１】
「商品マスタ」は、例えば図２に示すように、該当商品の商品名、該当商品を一意に特定するために付与されている商品コード（商品マスタコード：商品識別情報の一例）、該当商品のカテゴリ、該当商品の生産履歴（生産地、生産者など）、その他、流通履歴（流通経路など）や商品の価格などの該当商品に関わる各種の情報が対応付けされたものである。
【００２２】
「チラシ情報」は、例えば図３に示すように、各チラシを一意に特定するためのチラシコードと、該当チラシをスキャナ等によってコンピュータに取り込んで電子化した画像データを示すチラシ画像とに、該当チラシに掲載されている各商品を示すチラシ掲載商品情報が対応付けされたものである。チラシ掲載商品情報は、商品名、商品コード、チラシ上の構成位置、各商品の画像である商品画像などの該当チラシに掲載されている商品に関わる各種の情報が対応付けされたものである。「チラシ上の構成位置」は、該当商品がチラシのどの位置に掲載されているかを示す座標データであり、本例では、各商品が矩形状の掲載領域に掲載されるものとし、その掲載領域の左上座標と右下座標の組合せによって示されるものとする。
【００２３】
チラシ作成業者端末２０は、食品や飲料品などの商品を販売する販売店の広告チラシを作成するチラシ作成業者によって管理される端末装置である。また、消費者端末４１〜４Ｎは、それぞれ、消費者によって管理される端末装置である。
【００２４】
チラシ作成業者端末２０は、チラシ作成業者によって作成されたチラシ情報が格納されるチラシＤＢ２１を備えている。チラシ作成業者端末２０は、チラシ作成業者の操作に応じて作成されたチラシ情報をチラシＤＢ２１に登録するともに、そのチラシ情報を商品情報提供サーバ１０に送信する。商品情報提供サーバ１０は、チラシ作成業者端末２０から受信したチラシ情報をチラシＤＢ１２に格納する。
【００２５】
次に、本例の商品情報提供システム１００の動作について説明する。
図４は、本例の商品情報提供システム１００における注文サイトページ作成処理の例を示すフローチャートである。ここでは、チラシＤＢ１２に格納されたチラシ情報Ｘから注文サイトページを作成する場合を例に説明する。注文サイトページ作成処理は、例えば、オペレータの指示があったとき、新たなチラシ情報を入手したとき、あるいは定期的に実行される。
【００２６】
注文サイトページ作成処理において、先ず、商品情報提供サーバ１０は、未だ注文サイトページが作成されていないチラシ情報Ｘを特定し（ステップＳ１０１）、特定したチラシ情報Ｘにおけるチラシ画像（例えばＥＣ００５．ｊｐｇ）を読み出す（ステップＳ１０２）。注文サイトページが作成されていないチラシ情報Ｘの特定は、例えば、チラシ情報に注文サイトページ作成の有無を識別可能なフラグ情報を対応付けしておき、そのフラグ情報の状態により行うようにすればよい。
【００２７】
次に、商品情報提供サーバ１０は、チラシ情報Ｘに対応付けされている各チラシ掲載商品について、メタタグ（検索キーワードが設定されるメタキーワードタグ）を作成する（ステップＳ１０３）。「メタタグ」は、ＨＴＭＬ（Hyper Text Markup Language）やＸＭＬ（Extensible
Markup Language）などのマークアップ言語によって作成されるタグであり、サイト検索エンジンに対して情報を送るタグを意味する。ステップＳ１０３では、商品情報提供サーバ１０は、チラシ情報Ｘに対応付けされている各チラシ掲載商品の商品コードをそれぞれキーワードして設定したメタタグを作成する。
【００２８】
メタタグを作成すると、商品情報提供サーバ１０は、作成したそれぞれのメタタグをチラシ画像内の対応商品掲載位置に埋め込む（ステップＳ１０４）。すなわち、商品情報提供サーバ１０は、各チラシ掲載商品について作成したメタタグを、対応する商品がチラシにて掲載されている領域に、それぞれ埋め込む処理を行う。具体的には、商品情報提供サーバ１０は、あるチラシ掲載商品について作成したメタタグをそのチラシ掲載商品におけるチラシ上の構成位置情報（図３参照）によって特定される商品掲載領域に埋め込む処理を、各チラシ掲載商品の全てについて行う。
【００２９】
そして、商品情報提供サーバ１０は、チラシ情報Ｘのチラシ画像における各チラシ掲載商品の掲載領域に各チラシ掲載商品のメタタグが埋め込まれた注文サイトページを自己が備える注文サイトページ格納ＤＢ（図示せず）に保存する（ステップＳ１０５）。
【００３０】
上記のようにして、チラシ画像における各チラシ掲載商品の掲載領域に各チラシ掲載商品のメタタグが埋め込まれた注文サイトページが作成され保存される。
【００３１】
図５は、本例の商品情報提供システム１００における商品情報提供処理の例を示すフローチャートである。ここでは、消費者Ａが使用する消費者端末３１からのアクセスに応じて注文サイトページによる商品情報の提供を行い、注文サイトページにて商品の注文を受け付ける場合を例に説明する。
【００３２】
商品情報提供処理において、先ず、消費者端末３１は、消費者Ａの操作に応じて、商品情報提供サーバ１０が開設している商品注文サイトにアクセスし、あらかじめ消費者Ａに付与されている消費者ＩＤを提示して、商品注文サイトの閲覧依頼を行う。消費者ＩＤは、各消費者を一意に特定可能な識別コードであり、氏名や住所などを提示したユーザ登録を行うことによって消費者に付与されるものとする。
【００３３】
商品情報提供サーバ１０は、商品注文サイトの閲覧依頼を受けると、自己が備える注文サイトページ格納ＤＢ（図示せず）に格納されている注文サイトページを読み出して、消費者端末４１に対して送信する（ステップＳ２０１）。
【００３４】
商品情報提供サーバ１０からの注文サイトページを受信すると、消費者端末３１は、受信した注文サイトページを自己が備える表示装置に表示する。
【００３５】
注文サイトページには、例えば図６に示すように、ある販売店（スーパー○○○）用に作成された広告チラシが電子化されたチラシ画像が表示される。このチラシ画像には、画面表示上は見えないが、各商品の商品表示領域（商品掲載領域）Ｍ１〜Ｍ６が定められており、その商品表示領域Ｍ１〜Ｍ６それぞれにメタダグが埋め込まれている。なお、メタダグが埋め込まれている領域である商品表示領域Ｍ１〜Ｍ６が視認可能となるように、図６に示すような点線の囲いなどを表示するようにしてもよい。
【００３６】
次に、商品情報提供サーバ１０は、注文サイトページ上に表示されユーザＡによる消費者端末３１の操作によって注文サイトページ上を移動可能なカーソルＰの位置が商品表示領域Ｍ１〜Ｍ６内にあるか否か監視する（ステップＳ２０２）。
【００３７】
カーソルＰの位置が商品表示領域Ｍ１〜Ｍ６内となった場合には、商品情報提供サーバ１０は、カーソルＰが位置している商品表示領域に埋め込まれているメタタグを参照し、そのメタダグにキーワードして設定されている商品コードを特定する（ステップＳ２０３）。
【００３８】
商品コードを特定すると、商品情報提供サーバ１０は、商品マスタＤＢ１１に格納されている商品マスタ及びチラシＤＢ１２に格納されているチラシ情報を参照し、特定した商品コードが対応付けされている商品の詳細情報を収集し、収集した商品詳細情報を表示する表示領域を含む商品詳細情報サブウインドウを作成して注文サイトページ上に表示する（ステップＳ２０４）。
【００３９】
具体的には、注文サイトページにて表示されている「じゃがいも」の商品表示領域Ｍ１内にカーソルＰが進入したことを確認すると、商品情報提供サーバ１０は、商品表示領域Ｍ１に埋め込まれているメタタグを参照して「じゃがいも」の商品コード「０００１」を特定し、商品マスタ及びチラシ情報を参照して商品コード「０００１」が対応付けされている商品の詳細情報（例えば、原産地、商品画像、商品が惣菜である場合の素材、アレルゲンの有無など）を収集し、例えば図７に示すように、商品詳細情報サブウインドウＷ１を表示する。
【００４０】
また、商品情報提供サーバ１０は、商品マスタＤＢ１１に格納されている商品マスタを参照し、特定した商品コードが対応付けされている商品の概要情報を収集し、例えば図８に示すように、収集した商品概要情報を表示する表示領域と、購入数を入力する入力領域１０１と、該当商品購入金額の合計を小計として表示する表示領域と、購入する際に押下される購入ボタン１０２を含む注文用サブウインドウＷ２を作成して注文サイトページ上に表示する（ステップＳ２０５）。
【００４１】
また、商品情報提供サーバ１０は、例えば図８に示すように、購入を決定した商品の商品名と購入数量を表示する表示領域と、購入金額の合計を表示する表示領域と、購入数量を修正する際に押下される修正ボタン１０３と、表示されている内容で購入することを決定する際に押下される決定ボタン１０４とを含む購入リスト用サブウインドウＷ３を作成して注文サイトページ上に表示する。
【００４２】
次に、商品情報提供サーバ１０は、注文用サブウインドウＷ２あるいは購入リスト用サブウインドウＷ３内における入力領域への入力やボタンの押下などの消費者Ａによる操作があったか否かを監視するとともに（ステップＳ２０６）、各サブウインドウＷ１〜Ｗ３の外にカーソルＰがあるときにクリック操作がなされたか否かを監視する（ステップＳ２０７）。
【００４３】
注文用サブウインドウＷ２あるいは購入リスト用サブウインドウＷ３内における消費者Ａによる操作があった場合には（ステップＳ２０６のＹ）、商品情報提供サーバ１０は、その操作内容に応じた対応処理を行う（ステップＳ２０８）。例えば、入力領域１０１に購入数が入力された場合には、入力された購入数を表示し、小計額を計算して表示する。また、例えば、購入ボタン１０２が押下された場合には、購入リスト用サブウインドウＷ３の商品名、数量、及び合計金額に反映させる。また、修正ボタン１０３が押下された場合には購入リスト修正用のサブウインドウを開くなどして修正作業を可能とする処理を行い、決定ボタン１０４が押下された場合には購入リストに表示された内容で注文を受け付ける処理を行う。
【００４４】
対応処理を終えると、商品情報提供サーバ１０は、その対応内容によってサブウインドウの表示を終了するか否か判定し（ステップＳ２０９）、終了しない場合にはステップＳ２０７に移行し、終了する場合にはステップＳ２１０に移行する。本例では、決定ボタン１０４が押下されたときの対応処理を行った場合に限り、サブウインドウの表示を終了するものと判定する。
【００４５】
一方、各サブウインドウＷ１〜Ｗ３の外にカーソルＰがあるときにクリック操作がなされた場合には（ステップＳ２０７のＹ）、商品情報提供サーバ１０は、ステップＳ２１０に移行する。
【００４６】
ステップＳ２１０では、商品情報提供サーバ１０は、各サブウインドウＷ１〜Ｗ３の表示を終了する処理を実行する。そして、ステップＳ２０２に移行する。
【００４７】
上記のようにしてカーソルＰの位置が商品表示領域Ｍ１〜Ｍ６のいずれかに進入したときに、進入した商品表示領域に埋め込まれているメタタグから掲載商品を特定し、その掲載商品の詳細情報を表示するための商品詳細情報サブウインドウＷ１を作成して表示するとともに、その掲載商品の注文を行うための注文用サブウインドウＷ２を作成して表示する処理が実行される。
【００４８】
なお、上述した実施の形態では、商品マスタとチラシ情報とにもとづいて商品詳細情報を収集する構成としていたが（ステップＳ２０４参照）、商品マスタあるいはチラシ情報のいずれか一方のみを用いて商品詳細情報を収集するようにしてもよい。
【００４９】
また、上述した実施の形態では、商品詳細情報をサブウインドウによって表示する構成としていたが、サブウインドウでなく別のウインドウなどの他の方式によって表示するようにしてもよい。同様に、上述した実施の形態では、注文用の入力領域をサブウインドウによって表示する構成としていたが、サブウインドウでなく別のウインドウなどの他の方式によって表示するようにしてもよい。
【００５０】
また、上述した実施の形態では、チラシ情報をチラシ作成業者側が作成し、通信ネットワーク４０を介して商品情報提供サーバ１０が入手する構成としていたが、システム管理者側が作成するようにしてもよい。
【００５１】
以上に説明したように、商品情報提供サーバ１０が、広告チラシを電子化したチラシ画像と、その広告チラシに掲載されている掲載商品を特定可能な商品コードと、掲載商品の掲載領域を示す商品掲載領域情報とを含むチラシ情報を格納するチラシＤＢ１２を備え、チラシ情報に含まれているチラシ画像における各掲載商品の掲載領域それぞれに、該当商品の商品コードを設定したメタタグを埋め込んだ商品情報提供ページ（注文サイトページ）を作成し、消費者端末３１〜３Ｎからの要求に応じて、商品情報提供ページを消費者端末３１〜３Ｎに送信し、消費者端末３１〜３Ｎの表示画面に表示されている商品情報提供ページ上を移動可能なカーソルＰが各掲載商品の掲載領域Ｍ１〜Ｍ６に進入したことに応じて、カーソルＰが進入した掲載領域Ｍ１に埋め込まれているメタタグに設定されている商品コードを特定し、特定した商品コードが示す商品の詳細を示す商品詳細情報を収集し、収集した商品詳細情報を表示し、特定した商品コードが示す商品の注文内容を入力するための商品注文内容入力領域を表示する構成としたので、商品に係わる商品情報を提供して注文を受け付ける商品注文受付サイトに掲載するための商品情報の登録のための作業が容易となり、サイト運営者のサイト運用のための労力を軽減することができるようになる。
【００５２】
すなわち、チラシ画像に各商品の商品コードと商品掲載領域情報とが対応付けされたチラシ情報を用いて商品情報提供ページを作成することが可能となり、商品情報提供ページに掲載される各商品の商品情報を一つ一つ登録する必要がなくなるので、商品注文受付サイトに掲載するための商品情報の登録のための作業を容易かつ迅速に行うことができ、サイト運営者のサイト運用のための労力を大幅に軽減することができるようになる。
【００５３】
換言すると、チラシ画像に各商品の商品コードと商品掲載領域情報とが対応付けされたチラシ情報を用意しておくだけで、チラシに載っている各商品が掲載された商品情報提供ページを自動的に作成することが可能となり、商品注文受付サイトに掲載するための商品情報の登録のための作業を大幅に軽減することができるようになる。
【００５４】
また、上述した一実施の形態において、商品情報提供サーバ１０が、チラシＤＢ１２に格納されているチラシ情報を参照して、該当商品の商品画像を含む商品詳細情報を収集するようにした場合には、チラシ情報として登録されている商品画像などの各種の情報を商品詳細情報として収集することが可能となる。
【００５５】
また、上述した一実施の形態において、商品情報提供サーバ１０が、商品マスタを参照して、該当商品の生産履歴を含む商品詳細情報を収集するようにした場合には、商品マスタに登録されている商品の生産履歴や流通履歴などの各種の情報を商品詳細情報として収集することが可能となる。
【００５６】
また、上述した一実施の形態では、商品情報提供サーバ１０が、商品詳細情報の表示領域を含む商品詳細情報サブウインドウＷ１を作成し、商品情報提供ページ上に表示されているチラシ画像の前面側に重畳して商品詳細情報サブウインドウＷ１を表示する（図７参照）ようにしたので、ユーザにとって閲覧しやすく表示することが可能となる。
【００５７】
また、上述した一実施の形態では、商品情報提供サーバ１０が、広告チラシを作成するチラシ作成業者が使用するチラシ作成業者端末２０から通信ネットワーク４０を介してチラシ情報を受信し、受信したチラシ情報をチラシＤＢ１２に登録する構成とした場合には、システム運営者がチラシ情報を作成する必要がなくなり、商品情報提供サイトに掲載するための商品情報の登録のための作業をさらに軽減することができるようになる。
【００５８】
また、上述した一実施の形態では、商品情報提供サーバ１０が、商品マスタを参照して商品の概要を示す商品概要情報（商品名、価格など）を収集し、収集した概要情報とともに注文個数の入力領域１０１を表示する構成としたので、商品の概要情報を確認しながら注文するか否かや注文個数を決定することが可能となる。
【００５９】
また、上述した一実施の形態では、商品情報提供サーバ１０が、注文個数の入力領域１０１を含む注文用サブウインドウを作成し、商品情報提供ページ上に表示されているチラシ画像の前面側に重畳して商品注文用サブウインドウＷ２を表示する構成としたので、ユーザにとって閲覧や入力作業をしやすく表示することが可能となる。また、上述した一実施の形態では、商品詳細情報サブウインドウＷ１と商品注文用サブウインドウＷ２とを同時に表示する構成としているので、商品の詳細情報を確認しながら注文するか否かや注文個数を決定することが可能となる。
【産業上の利用可能性】
【００６０】
本発明によれば、商品に係わる商品情報を提供して注文を受け付ける商品注文受付サイトに掲載するための商品情報の登録のための作業を容易とし、サイト運営者のサイト運用のための労力を軽減するのに有用である。
【図面の簡単な説明】
【００６１】
【図１】本発明の一実施の形態に係る商品情報提供システムの構成の例を示すブロック図である。
【図２】商品マスタ格納テーブルの例を示す説明図である。
【図３】チラシ情報格納テーブルの例を示す説明図である。
【図４】注文サイトページ作成処理の例を示すフローチャートである。
【図５】商品情報提供処理の例を示すフローチャートである。
【図６】注文サイトページの例を示す説明図である。
【図７】注文サイトページの例を示す説明図である。
【図８】注文サイトページの例を示す説明図である。
【符号の説明】
【００６２】
１０        商品情報提供サーバ
１１        商品マスタＤＢ
１２        チラシＤＢ
２０        チラシ作成業者端末
２１        チラシＤＢ
３１〜３Ｎ  消費者端末
４０        通信ネットワーク
１００      商品情報提供システム
【図１】
0005599970.tif 000002
【図２】
0005599970.tif 000003
【図３】
0005599970.tif 000004
【図４】
0005599970.tif 000005
【図５】
0005599970.tif 000006
【図６】
0005599970.tif 000007
【図７】
0005599970.tif 000008
【図８】
0005599970.tif 000009